(57)【特許請求の範囲】
【請求項１】
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を配信するセンター装置と、ユーザの操作に応じて設定された嗜好情報を前記センター装置に送信して前記嗜好情報に応じたコンテンツ情報を受信する車載器と、が路側無線装置を介してデータ送受信可能に接続された情報配信システムであって、
前記車載器は、
音声及び／又は映像を再生する再生装置と、
当該車載器の識別情報、前記設定されたユーザの嗜好情報及び前記再生装置の機種情報を前記センター装置に送信する情報送信手段と、を備え、
前記センター装置は、
前記車載器との最終通信時における当該車載器の再生装置の機種情報を当該車載器の識別情報に対応付けて記憶する車載器情報記憶手段と、
前記車載器から前記機種情報が受信された際に、当該受信された機種情報と前記車載器情報記憶手段に記憶されている当該車載器に対応する機種情報とに基づいて当該車載器に搭載されている再生装置の種類が変更されたか否かを判断し、変更された場合に、変更後の再生装置の種類に対応するカテゴリを前記ユーザの嗜好情報に追加して前記車載器に送信する制御手段と、を備える情報配信システム。
【請求項２】
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を車載器に配信するセンター装置であって、
路側無線装置を介して、前記車載器とデータ送受信を行う通信手段と、
前記車載器との最終通信時における前記車載器の再生装置の機種情報を当該車載器の識別情報に対応付けて記憶する車載器情報記憶手段と、
前記通信手段により前記車載器から送信された当該車載器の識別情報、当該車載器のユーザの嗜好情報及び当該車載器に備えられた再生装置の機種情報が受信された際に、当該受信された機種情報及び前記車載器情報記憶手段に記憶されている当該車載器に対応する機種情報とに基づいて当該車載器に搭載されている再生装置の種類が変更されたか否かを判断し、変更された場合に、変更後の再生装置の種類に対応するカテゴリを前記ユーザの嗜好情報に追加して前記通信手段により前記車載器に送信する制御手段と、
を備えるセンター装置。
【請求項３】
前記制御手段は、前記受信したユーザの嗜好情報に変更前の再生装置の種類に対応するカテゴリが含まれているか否かを判断し、含まれている場合に、前記変更後の再生装置の種類に対応するカテゴリを前記ユーザの嗜好情報に追加する請求項２に記載のセンター装置。
【請求項４】
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を配信するセンター装置と、ユーザの操作に応じて設定された嗜好情報を前記センター装置に送信して前記嗜好情報に応じたコンテンツ情報を受信する車載器と、が路側無線装置を介してデータ送受信可能に接続された情報配信システムであって、
前記車載器は、
前記設定されたユーザの嗜好情報を記憶する嗜好情報記憶手段と、
音声及び／又は映像を再生する再生装置と、
前記再生装置の変更時に変更前の再生装置の機種情報を記憶する機種情報記憶手段と、
前記機種情報記憶手段に記憶された変更前の再生装置の機種情報と現在の再生装置から取得した機種情報とに基づいて、当該車載器に搭載されている再生装置の種類が変更されたか否かを判断し、変更された場合に、変更後の再生装置の種類に対応するカテゴリを前記ユーザの嗜好情報に追加する制御手段と、
を備える情報配信システム。
【請求項５】
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を配信するセンター装置と路側無線装置を介してデータ送受信を行う通信手段を備え、ユーザの操作に応じて設定された嗜好情報を前記通信手段により前記センター装置に送信し前記嗜好情報に応じたコンテンツ情報を受信する車載器であって、
前記設定されたユーザの嗜好情報を記憶する嗜好情報記憶手段と、
音声及び／又は映像を再生する再生装置と、
前記再生装置の変更時に変更前の再生装置の機種情報を記憶する機種情報記憶手段と、
前記機種情報記憶手段に記憶された変更前の再生装置の機種情報と現在の再生装置から取得した機種情報とに基づいて、当該車載器に搭載されている再生装置の種類が変更されたか否かを判断し、変更された場合に、変更後の再生装置の種類に対応するカテゴリを前記ユーザの嗜好情報に追加する制御手段と、
を備える車載器。
【請求項６】
前記制御手段は、前記嗜好情報記憶手段に記憶されているユーザの嗜好情報に変更前の再生装置の種類に対応するカテゴリが含まれているか否かを判断し、含まれている場合に、前記変更後の再生装置の種類に対応するカテゴリを前記ユーザの嗜好情報に追加する請求項５に記載の車載器。
【請求項７】
操作手段と、
前記操作手段による操作に応じてユーザの嗜好情報を設定するための設定画面を表示する表示手段とを備え、
前記制御手段は、前記車載器に搭載されている再生装置の種類が変更された場合に、変更後の再生装置の種類に対応するカテゴリを追加した嗜好情報を前記設定画面に表示させ、前記操作手段による設定指示に応じて、前記変更後の再生装置の種類に対応するカテゴリを追加した嗜好情報を前記嗜好情報記憶手段に記憶させる請求項６に記載の車載器。
【請求項８】
前記制御手段は、前記再生装置に接続されるスピーカの変更時に、変更前後のスピーカ構成情報を取得し、当該取得した変更前後のスピーカ構成情報に基づいて、前記再生装置におけるスピーカ構成がサラウンド構成に変更されたか否かを判断し、サラウンド構成に変更された場合に、サラウンド構成の前記再生装置に対応するカテゴリを前記ユーザの嗜好情報に追加する請求項５〜７の何れか一項に記載の車載器。
【発明の詳細な説明】
【技術分野】
【０００１】
本発明は、情報配信システム、センター装置、車載器に関する。
【背景技術】
【０００２】
従来、車載器では、ＤＳＲＣ（Dedicated Short Range Communication：狭域通信）を利用して路上や駐車場等に設置された路側無線装置と無線通信を行い、当該路側無線装置を介してセンター装置から自車の周辺にある施設（例えば、店舗や医療機関等）に関するコンテンツ情報の提供を受けることが可能となっている（例えば、特許文献１参照）。
【特許文献１】特開２００７−１０９０３２号公報
【０００３】
ＤＳＲＣ通信を用いてセンター装置から車載器に情報を配信する情報配信システムでは、できるだけ配信するコンテンツ情報の内容を車内のユーザに合わせるため、ユーザの嗜好情報等をセンター装置に提供するしくみが検討されている。センター装置は、通信開始時に車載器から送信されるユーザの嗜好情報等に基づいて車内のユーザに適したコンテンツ情報を編成して配信する。
【発明の開示】
【発明が解決しようとする課題】
【０００４】
ここで、ユーザが希望するカテゴリのコンテンツ情報を受信するためには、車載器において嗜好情報を設定する操作が必要となる。例えば、車載器に搭載されている再生装置（以下、再生機という）に関連するコンテンツ情報を受信したい場合には、当該再生機の種類に対応するカテゴリを嗜好情報に設定する操作が必要となる。また、車載器に搭載されている再生機の種類に変更があった場合には、嗜好情報の設定を変更する必要がある。この嗜好情報の設定変更は、ユーザにとっては手間を必要とし、煩雑であった。
【０００５】
本発明の課題は、路側無線装置を介してセンター装置から車載器にコンテンツ情報を配信する配信サービスにおいて、車載器に搭載されている再生機の種類に変更があった場合に、ユーザが手間をかけることなく変更後の再生機に応じたコンテンツ情報を車載器で受信できるようにすることである。
【課題を解決するための手段】
【０００６】
上記課題を解決するため、請求項１に記載の発明は、
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を配信するセンター装置と、ユーザの操作に応じて設定された嗜好情報を前記センター装置に送信して前記嗜好情報に応じたコンテンツ情報を受信する車載器と、が路側無線装置を介してデータ送受信可能に接続された情報配信システムであって、
前記車載器は、
音声及び／又は映像を再生する再生装置と、
当該車載器の識別情報、前記設定されたユーザの嗜好情報及び前記再生装置の機種情報を前記センター装置に送信する情報送信手段と、を備え、
前記センター装置は、
前記車載器との最終通信時における当該車載器の再生装置の機種情報を当該車載器の識別情報に対応付けて記憶する車載器情報記憶手段と、
前記車載器から前記機種情報が受信された際に、当該受信された機種情報と前記車載器情報記憶手段に記憶されている当該車載器に対応する機種情報とに基づいて当該車載器に搭載されている再生装置の種類が変更されたか否かを判断し、変更された場合に、変更後の再生装置の種類に対応するカテゴリを前記ユーザの嗜好情報に追加して前記車載器に送信する制御手段と、を備える。
【０００７】
請求項２に記載の発明は、
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を車載器に配信するセンター装置であって、
路側無線装置を介して、前記車載器とデータ送受信を行う通信手段と、
前記車載器との最終通信時における前記車載器の再生装置の機種情報を当該車載器の識別情報に対応付けて記憶する車載器情報記憶手段と、
前記通信手段により前記車載器から送信された当該車載器の識別情報、当該車載器のユーザの嗜好情報及び当該車載器に備えられた再生装置の機種情報が受信された際に、当該受信された機種情報及び前記車載器情報記憶手段に記憶されている当該車載器に対応する機種情報とに基づいて当該車載器に搭載されている再生装置の種類が変更されたか否かを判断し、変更された場合に、変更後の再生装置の種類に対応するカテゴリを前記ユーザの嗜好情報に追加して前記通信手段により前記車載器に送信する制御手段と、
を備える。
【０００８】
請求項３に記載の発明は、請求項２に記載の発明において、
前記制御手段は、前記受信したユーザの嗜好情報に変更前の再生装置の種類に対応するカテゴリが含まれているか否かを判断し、含まれている場合に、前記変更後の再生装置の種類に対応するカテゴリを前記ユーザの嗜好情報に追加する。
【０００９】
請求項４に記載の発明は、
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を配信するセンター装置と、ユーザの操作に応じて設定された嗜好情報を前記センター装置に送信して前記嗜好情報に応じたコンテンツ情報を受信する車載器と、が路側無線装置を介してデータ送受信可能に接続された情報配信システムであって、
前記車載器は、
前記設定されたユーザの嗜好情報を記憶する嗜好情報記憶手段と、
音声及び／又は映像を再生する再生装置と、
前記再生装置の変更時に変更前の再生装置の機種情報を記憶する機種情報記憶手段と、
前記機種情報記憶手段に記憶された変更前の再生装置の機種情報と現在の再生装置から取得した機種情報とに基づいて、当該車載器に搭載されている再生装置の種類が変更されたか否かを判断し、変更された場合に、変更後の再生装置の種類に対応するカテゴリを前記ユーザの嗜好情報に追加する制御手段と、
を備える。
【００１０】
請求項５に記載の発明は、
ユーザが嗜好するコンテンツ情報のカテゴリを示す嗜好情報に応じて、受信完了後に即時再生するか、コンテンツを相互通信エリア外でも利用可能なコンテンツとして蓄積するかを表す識別子としての即時／蓄積コードを含むコンテンツ属性情報を含むコンテンツ情報を配信するセンター装置と路側無線装置を介してデータ送受信を行う通信手段を備え、ユーザの操作に応じて設定された嗜好情報を前記通信手段により前記センター装置に送信し前記嗜好情報に応じたコンテンツ情報を受信する車載器であって、
前記設定されたユーザの嗜好情報を記憶する嗜好情報記憶手段と、
音声及び／又は映像を再生する再生装置と、
前記再生装置の変更時に変更前の再生装置の機種情報を記憶する機種情報記憶手段と、
前記機種情報記憶手段に記憶された変更前の再生装置の機種情報と現在の再生装置から取得した機種情報とに基づいて、当該車載器に搭載されている再生装置の種類が変更されたか否かを判断し、変更された場合に、変更後の再生装置の種類に対応するカテゴリを前記ユーザの嗜好情報に追加する制御手段と、
を備える。
【００１１】
請求項６に記載の発明は、請求項５に記載の発明において、
前記制御手段は、前記嗜好情報記憶手段に記憶されているユーザの嗜好情報に変更前の再生装置の種類に対応するカテゴリが含まれているか否かを判断し、含まれている場合に、前記変更後の再生装置の種類に対応するカテゴリを前記ユーザの嗜好情報に追加する。
【００１２】
請求項７に記載の発明は、請求項６に記載の発明において、
操作手段と、
前記操作手段による操作に応じてユーザの嗜好情報を設定するための設定画面を表示する表示手段とを備え、
前記制御手段は、前記車載器に搭載されている再生装置の種類が変更された場合に、変更後の再生装置の種類に対応するカテゴリを追加した嗜好情報を前記設定画面に表示させ、前記操作手段による設定指示に応じて、前記変更後の再生装置の種類に対応するカテゴリを追加した嗜好情報を前記嗜好情報記憶手段に記憶させる。
【００１３】
請求項８に記載の発明は、請求項５〜７の何れか一項に記載の発明において、
前記制御手段は、前記再生装置に接続されるスピーカの変更時に、変更前後のスピーカ構成情報を取得し、当該取得した変更前後のスピーカ構成情報に基づいて、前記再生装置におけるスピーカ構成がサラウンド構成に変更されたか否かを判断し、サラウンド構成に変更された場合に、サラウンド構成の前記再生装置に対応するカテゴリを前記ユーザの嗜好情報に追加する。
【発明の効果】
【００１４】
本発明によれば、路側無線装置を介してセンター装置から車載器にコンテンツ情報を配信する配信サービスにおいて、車載器に搭載されている再生機の種類に変更があった場合に、ユーザが手間をかけることなく変更後の再生機に応じたコンテンツ情報を車載器で受信することが可能となる。
【発明を実施するための最良の形態】
【００１５】
以下、添付図面を参照して本発明に係る実施形態を詳細に説明する。ただし、発明の範囲は、図示例に限定されない。
【００１６】
〈第１の実施の形態〉
まず、第１の実施の形態の構成を説明する。
図１に、本実施形態における情報配信システム１００を示す。
情報配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。路側無線装置２０は路上や駐車場等に複数設置され、各路側無線装置２０はネットワークＮを介してセンター装置３０と接続されている。また、路側無線装置２０と、路上を走行する車両Ｃの車載器１０とは無線通信が可能である。
【００１７】
センター装置３０が車載器１０に配信するコンテンツ情報の内容としては、例えば、車両Ｃ周辺の店舗、駐車場、医療施設等の各種施設のサービス案内等が挙げられる。なお、図１では１台のセンター装置３０のみ示したが、コンテンツ情報を配信する配信事業者は複数あり、センター装置３０は配信事業者毎に備えられるものである。
【００１８】
以下、各構成装置について詳細に説明する。
路側無線装置２０は、図２に示すように本体装置２０ａとアンテナ２０ｂとから構成されている。路側無線装置２０は、道路脇や道路上方、駐車場、道の駅等に設置されたアンテナ２０ｂから、到達距離が限定されたＤＳＲＣの電波を放射して、路側無線装置２０近傍に相互通信エリアＺを形成する。この相互通信エリアＺ内にある車両Ｃの車載器１０とだけ双方向狭域無線通信が可能となる。以下、路側無線装置２０と車載器１０間の狭域無線通信を路車間通信という場合がある。
【００１９】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する相互通信エリアＺは設置場所に関係なく、ほぼ一定である。
【００２０】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。
なお、路側無線装置２０の本体装置２０ａがセンター装置３０としての機能を一部或いは全部備えていてもよい。
【００２１】
車載器１０は、車両Ｃに搭載され、案内経路への誘導のための処理等を行うナビゲーション機能の他、ＤＳＲＣによるＥＴＣ（Electronic Toll Collection System）利用のた
めの処理を行う機能等を有している。
車載器１０は、図３に示すように、カーナビ部１、通信モジュール２、ＤＳＲＣ部３、制御部４を備えて構成されている。カーナビ部１、通信モジュール２、ＤＳＲＣ部３は、それぞれが独立して動作可能となっており、制御部４の制御により各部を協調動作させることにより車載器１０として動作する。従って、車載器１０のユーザは、カーナビ機能の向上等の目的でカーナビ部１を変更することができる。
【００２２】
制御部４は、ＣＰＵ（Central Processing Unit）、ＲＡＭ（Random Access Memory）
等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う。
【００２３】
カーナビ部１は、カーナビ制御部１ａ、現在地検出部１ｂ、地図記憶部１ｃ、入力部１ｄ、表示部１ｅ、記憶部１ｆ、音声出力部１ｇ、再生機１ｈ、メモリカードＩ／Ｆ１ｉ等を備えて構成され、車両Ｃを案内経路へ誘導するための処理や、ＤＳＲＣ部３を介して受信されたコンテンツ情報の再生等を行うナビゲーション装置である。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２４】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２５】
地図記憶部１ｃは、不揮発メモリやＤＶＤ等の記録媒体から構成され、案内表示に必要な地図情報、通信モジュール２を介して受信されるガイド情報（道路情報、渋滞情報等）等を記憶している。
【００２６】
入力部１ｄは、操作キーや表示部１ｅと一体に構成されるタッチパネル等から構成されている。入力部１ｄは、これらの操作に対応する操作信号を生成し、制御部４に出力する。
表示部１ｅは、モニタを備え、制御部４の制御に従ってモニタ上に各種情報を表示する。例えば、設定画面や地図画面、センター装置３０から受信したコンテンツ情報の表示画面等である。
【００２７】
記憶部１ｆは、不揮発メモリ等により構成され、制御部４やカーナビ制御部１ａにより実行される制御プログラム、プログラムの実行に必要なパラメータやデータ等を記憶している。
また、記憶部１ｆは、アップリンク情報を記憶するとともに、センター装置３０から受信したコンテンツ情報を記憶し保存する。
【００２８】
ここで、アップリンク情報について説明する。アップリンク情報とは、路側無線装置２０を介して車載器１０とセンター装置３０との通信が確立した際にセンター装置３０に送信される情報であり、センター装置３０において車載器１０にどのような内容のコンテンツ情報を配信するかを決定する際に用いられる。アップリンク情報には、配信事業者特定情報、車両Ｃの目的地情報、経由地情報、累計走行距離情報、過去の立ち寄り地情報、ユーザの嗜好情報、受信／再生履歴情報、カーナビ部１の型番情報（カーナビ部型番情報という）等が含まれる。アップリンク情報は配信事業者毎に各配信事業者に応じた内容で制御部４により生成され、記憶部１ｆに記憶される。アップリンク情報は最新の内容となるように制御部４が常に更新を行って記憶部１ｆに保存させる。
【００２９】
配信事業者特定情報は、ユーザが予めコンテンツ情報の配信について契約した配信事業者を特定する情報であり、例えば事業者コード、事業者名等である。
車両Ｃの目的地情報は、カーナビ部１で設定された目的地の緯度、経度の情報であり、経由地情報はカーナビ部１で設定された目的地までの誘導経路において経由する地点の緯度、経度の情報である。また、累計走行距離情報はＤＳＲＣ部３のセットアップ（販売店などにより、車両情報を登録する作業）時点から現在までの車両Ｃの累計走行距離の情報であり、過去の立ち寄り地情報は過去に車両Ｃが停車した（つまり車載器１０の電源がＯＮ又はＯＦＦされた）地点の緯度、経度の情報及び時刻情報である。
【００３０】
嗜好情報は、センター装置３０においてユーザの嗜好に応じて配信するコンテンツ情報を選択するために用いるものである。嗜好情報は、コンテンツ情報の内容を分類した複数の項目（カテゴリ）毎に、ユーザが嗜好する項目として設定したか否かを示す情報を設定したものである。即ち、嗜好情報は、ユーザが嗜好するコンテンツ情報のカテゴリを示す情報である。項目は配信事業者が任意に設定でき、センター装置３０により後述するコンテンツ情報（図９参照）のＩＤ８０に含めて車載器１０に配信される。
【００３１】
図４に、センター装置３０から配信される嗜好情報の一例を示す。センター装置３０から配信される嗜好情報は、図４に示すように、コンテンツ情報の内容を分類した各項目についての「項目番号」、項目名を示すテキスト情報である「表示用テキスト」、階層を示す「表示用ネスト」、デフォルトの設定を示す「デフォルト値」、項目名を音声出力するための「表音文字列」等により構成されている。バージョンが異なると、各項目の内容が異なるものとなる。なお、嗜好情報には、図４では図示しないが、嗜好情報のバージョンを示す情報が含まれる。
【００３２】
項目は階層構造を有しており、上記階層の情報である「表示用ネスト」は各項目がどの階層にあたるのかを示す。「０」は最上位の階層であることを示し、「１」、「２」と数字が大きくなるにつれて下位になることを示す。また、項目間の従属関係は項目番号により示す。つまり、従属関係のある項目群単位で各項目を並べ、その項目群の中でも従属関係のある項目については、上位の項目のすぐ後に従属する下位の項目を並べて項目番号を付与することにより、項目番号順に階層の情報を読み込めば従属関係と階層を判断することができる。
【００３３】
図４の例で説明すると、最上位である「地域の情報」の項目は項目番号「０００」、階層は「０」である。そのすぐ後の項目番号「００１」の「工事のお知らせ」の項目は階層が「１」であるので、「地域の情報」の項目より階層が下位でありかつ「地域の情報」の項目に従属していることが分かる。
【００３４】
車載器１０の制御部４は、センター装置３０から嗜好情報が配信されると、配信された嗜好情報に基づいて、ユーザが各項目毎に嗜好する／しない（即ち、視聴する／しない）を設定するための嗜好項目設定画面Ｇ１を表示部１ｅに表示する。
図５に、嗜好項目設定画面Ｇ１の一例を示す。嗜好項目設定画面Ｇ１には、階層に従って、各項目毎に、嗜好する項目として設定することを指示するための「ＯＮ」ボタン、嗜好しない項目として設定することを指示するための「ＯＦＦ」ボタンが表示される。センター装置３０から送信された嗜好情報のデフォルト値「１」は、当該項目が嗜好する項目として設定されていることを示す。デフォルト値「０」は、当該項目が嗜好しない項目として設定されていることを示す。デフォルト値「０」の場合は、例えば、「ＯＮ」ボタンが網掛け表示される。なお、車載器１０に初回に嗜好情報が配信される際には、全ての項目が、例えば「１」に設定される等、ユーザの嗜好とは関係なく、配信事業者が自由に設定したうえで配信される。入力部１ｄを介してユーザが「ＯＮ」ボタンまたは「ＯＦＦ」ボタンを押下することにより、現在の設定とは異なる設定を行うことができる。即ち、嗜好するカテゴリを嗜好情報に追加したり削除したりすることができる。現在の設定と同じでよい場合は、ユーザは入力操作をする必要はない。
入力部１ｄの操作により嗜好項目設定画面Ｇ１により設定が行われ、「ＯＫ」ボタンＢ１が押下されると、制御部４は、設定内容に基づいてセンター装置３０への送信用の嗜好情報を生成しアップリンク情報の一部として記憶部１ｆに記憶させる。記憶部１ｆに記憶される送信用の嗜好情報は、図４に示す嗜好情報の各項目の表示用テキスト、表示用ネスト、各項目についての設定値（嗜好する項目として設定された項目は「１」、嗜好しない項目として設定された項目は「０」）、及び嗜好情報のバージョンを示す情報を含む。
【００３５】
受信／再生履歴情報は、受信したコンテンツ情報の情報コード、再生したコンテンツ情報の情報コード等の情報である。
カーナビ部型番情報は、カーナビ部１の機種名を示す情報である。なお、第１〜第３の実施の形態においては、車載器１０に搭載されている再生機１ｈの機種を示す情報としてカーナビ部型番情報を使用する場合を例にとり説明するが、再生機１ｈの機種情報としては、これに限定されず、再生機１ｈそのものの機種を示す情報を用いても良い。
【００３６】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００３７】
再生機１ｈは、ＣＤ（Compact Disc）、ＤＶＤ（Digital  Versatile  Disc）、又はブルーレイディスク等の記録メディアに記録されている音声データ及び／又は映像データ等を読み出して再生する。カーナビ部１に搭載されている再生機１ｈの種類（例えば、ＣＤプレーヤ、ＤＶＤプレーヤ、ブルーレイディスクプレーヤ、・・・）は、カーナビ部１の機種によって決まる。また、再生機１ｈは、外部スピーカＳＰが複数接続可能に構成されており、ユーザが再生機１ｈのスピーカ構成を自由に変更できるようになっている。
【００３８】
メモリカードＩ／Ｆ１ｉは、メモリカード、ＵＳＢ（Universal Serial Bus）メモリ等の外部メモリデバイスＥＤを接続可能であり、外部メモリデバイスＥＤとのデータの入出力を行うためのインターフェースである。
【００３９】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らず、また、通信センターから受信する情報としては、渋滞情報や道路交通情報に限らない。
なお、通信モジュール２は他にもＷｉＭａｘ（Worldwide Interoperability for Microwave Access）等のＤＳＲＣ以外の通信手段を使用することにより、インターネット等の情報を入手することもできる。  
【００４０】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００４１】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域ＭＥに記憶されている情報を、通信部３ｂにより路側無線装置２０に送信させる一方、通信部３ｂにより路側無線装置２０を介してコンテンツ情報を受信した場合にはこれを制御部４に出力する。
【００４２】
通信部３ｂは、例えば車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００４３】
記憶部３ｃは、不揮発メモリ等により構成され、ＤＳＲＣ制御部３ａにより実行される制御プログラム等を記憶している。
また、記憶部３ｃにはアップリンク情報記憶領域ＭＥが設けられている。アップリンク情報記憶領域ＭＥは、センター装置３０に情報を提供するために専用に設けられた記憶領域であり、アップリンク情報の他、車載器１０の特性情報（図示せず）が記憶される。
【００４４】
特性情報とは、車載器１０の機器特性に関する情報をいう。特性情報には、車載器１０の車載器ＩＤ、車載器１０が対応できる言語、地図の測地系、車載器１０が対応可能な著作権管理技術、表示部１ｅのディスプレイの解像度、ＳＶＧ（Scalable Vector Graphics）の対応、コンテンツ情報の蓄積が可能な記憶容量等の情報が含まれる。なお、車載器ＩＤは各車載器１０に固有の識別情報である。
【００４５】
アップリンク情報をセンター装置３０に送信する際のデータ形式は予め定められており、記憶部１ｆに記憶されたアップリンク情報は、所定のタイミングで、上記予め定められたデータ形式に則ってアップリンク情報記憶領域ＭＥに書き込まれる。例えば、嗜好情報は、そのバージョン情報と、各項目の設定値（「１」又は「０」）を項目番号順に並べたデータが書き込まれる。
【００４６】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００４７】
次に、センター装置３０について説明する。
センター装置３０は、コンテンツ情報を記憶し、これを車載器１０に配信する。
図６に、センター装置３０の機能的構成を示す。
図６に示すように、センター装置３０は制御部３１、入力部３２、表示部３３、記憶部３４、通信部３５を備えて構成されている。
【００４８】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツ情報を読み出して編成したり、編成したコンテンツ情報の配信制御を行う。なお、編成とは配信するコンテンツ情報をアップリンク情報に基づいて選択すること等をいう。
【００４９】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００５０】
記憶部３４は、不揮発メモリやハードディスク等により構成され、制御部３１により実行されるプログラムの他、プログラムの実行に必要な各種データを記憶する。
【００５１】
例えば、記憶部３４は、コンテンツ情報の配信事業者に個別に付与されている事業者コードを記憶している。また、記憶部３４は、各バージョンの嗜好情報を記憶している。また、ユーザはコンテンツ情報の配信サービスに加入する契約を行う際、会員登録を行うので、記憶部３４はこの会員登録されたユーザの氏名、住所等の特定情報の他、ユーザが所有する車載器１０の車載器ＩＤをユーザ毎にデータベース化して記憶する。
【００５２】
また、記憶部３４は、図６に示すように、再生機テーブル３４１、車載器テーブル３４２等を記憶している。
【００５３】
図７に、再生機テーブル３４１のデータ格納例を示す。図７に示すように、再生機テーブル３４１は、車載器１０にカーナビ部１として搭載可能なナビゲーション装置のメーカ名（「メーカ」）及び型番情報（「カーナビ部型番」）を示す情報と、当該ナビゲーション装置に搭載されている再生機の種類を示す情報（「再生機」）とを対応付けて記憶する。なお、ここでの再生機の種類を示す情報は、表示用テキストの形式で格納されている。再生機テーブル３４１の内容は、車載器１０に搭載可能なナビゲーション装置が新しく発売される度に更新される。
【００５４】
図８に、車載器テーブル３４２のデータ格納例を示す。図８に示すように、車載器テーブル３４２は、コンテンツ配信サービスの会員が所有する車載器１０を識別するための「車載器ＩＤ」と、その車載器１０に搭載されているカーナビ部１の型番を示すカーナビ部型番情報（「カーナビ部型番」）とを対応付けて記憶する。車載器テーブル３４２の内容は、各車載器１０との通信が行われる毎に制御部３１により更新され、最終通信時における車載器１０のカーナビ部型番情報が記憶される。
【００５５】
また、記憶部３４は、コンテンツ情報の配信事業者に個別に付与されている事業者コードや、配信すべきコンテンツ情報を記憶している。コンテンツ情報は嗜好情報の項目毎に分類されて記憶されている。
【００５６】
図９に、センター装置３０から配信されるコンテンツ情報のデータフォーマットの一例を示す。
コンテンツ情報は、図９に示すように、大区分番号（ＩＤ）により分類される情報がいくつかの格納可能なファイルにより構成され、提供するコンテンツの内容に応じて必要なＩＤの情報が格納されている。
【００５７】
ここで、ＩＤにより分類される情報のうち、本実施形態に必要な主要な情報について説明する。
ＩＤ００に分類される「構成ＩＤ情報」は、当該コンテンツ情報を構成するＩＤの情報である。即ち、構成ＩＤ情報は、当該コンテンツ情報の何れのＩＤに情報が格納されているかを示す情報である。
ＩＤ０１に分類される「事業者情報」は、当該コンテンツ情報を配信する配信事業者に関する情報であり、例えば、コンテンツを提供する配信事業者の「事業者コード」、「事業者名表示用テキスト」等が含まれる。
【００５８】
ＩＤ０２、ＩＤ０３に分類される「コンテンツ属性情報」は、当該コンテンツ情報の属性を示す情報である。
ＩＤ０２に分類される「コンテンツ属性情報」には、例えば、コンテンツ情報を提供する情報提供企業の「情報提供企業コード」、「情報提供企業名表示用テキスト」、コンテンツ情報を特定するために個別に付与された識別コードである「情報コード」、コンテンツ情報の内容を示す「情報タイトル表示用テキスト」、コンテンツ情報のカテゴリを示す「嗜好データカテゴリ情報」等が含まれる。この嗜好データカテゴリ情報は、コンテンツ情報のカテゴリを上述の嗜好情報の項目番号で示すものである。
ＩＤ０３に分類される「コンテンツ属性情報」には、当該コンテンツを相互通信エリアＺ外でも利用可能なコンテンツとして蓄積するか、受信完了後に即時再生するかを表す識別子としての「即時／蓄積コード」が含まれる。
ＩＤ０４に分類される「有効期限情報」は、当該コンテンツ情報の有効期限を示す情報であり、「開始年月日時分秒」、「終了年月日時分秒」等が含まれる。
【００５９】
ＩＤ１０に分類される「対象地点情報」は、当該コンテンツ情報により案内されるサービスが提供される地点（対象地点という）に関する情報やコンテンツの実データ（画像、音声等のデータ）を含む。「対象地点情報」は、対象地点の緯度経度を示す「対象地点座標情報」、対象地点で提供されるサービスや店舗の名称を示す「サービス名称表示用テキスト」、サービスの説明用テキスト情報である「表示用文字データ」、サービス案内の画面を表示するための「表示画像データ」、サービスの音声案内のための「表音文字列データ」及び「圧縮音声データ」、当該コンテンツ情報の内容に関連する情報を提供するＷｅｂページの格納場所のアドレスを示す「ＵＲＬ情報」、対象地点以外の提携駐車場を示す「提携駐車場情報」、対象地点を地図画面上に表示する際の「アイコン表示画像データ」等が含まれる。
【００６０】
ＩＤ８０に分類される「嗜好情報」は、上述のように、嗜好情報のバージョンを示す「嗜好情報バージョン情報」、コンテンツの分類を示す各項目毎の「項目番号」「表示用テキスト」「表示用ネスト」「デフォルト値」、「音声文字列」等が含まれる。
【００６１】
次に、動作について説明する。
図１０は、コンテンツ情報を配信する際におけるセンター装置３０、路側無線装置２０、車載器１０のＤＳＲＣ部３及び制御部４における処理の流れを説明するフローチャートである。
図１０に示すように、まず車両Ｃのエンジンが起動し、車載器１０の電源が投入されると（ステップＳ１）、制御部４は車載器１０の特性情報を生成し、記憶部３ｃのアップリンク情報記憶領域ＭＥに書き込む（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域ＭＥの対応する領域に当該コードを書き込む。なお、実際には書込を指示する制御情報をＤＳＲＣ制御部３ａに出力し、このＤＳＲＣ制御部３ａがアップリンク情報記憶領域ＭＥに書き込む。
【００６２】
その後、車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（ステップＳ３ａ、Ｓ３ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。
【００６３】
次いで、ＤＳＲＣ部３はアップリンク情報記憶領域ＭＥに書き込まれている特性情報を路側無線装置２０に送信する（ステップＳ５）。特性情報は路側無線装置２０を介してセンター装置３０に送信される。
センター装置３０において、通信部３５により特性情報が受信されると、制御部３１は、受信した特性情報に含まれる車載器ＩＤに基づいて車載器１０のユーザが配信サービスの会員か否かを判断する（ステップＳ６）。
【００６４】
センター装置３０の制御部３１は、記憶部３４に記憶されている会員データベースに登録されている配信サービスの全会員の車載器ＩＤのうち、受信した車載器ＩＤと一致するものがなく、車載器１０のユーザが非会員であると判断すると（ステップＳ６；ＮＯ）、記憶部３４から非会員用のコンテンツ情報を読み出し、通信部３５により、路側無線装置２０を介して車載器１０に配信する（ステップＳ２１）。配信が終了すると、センター装置３０の制御部３１は、配信終了を通知するメッセージ情報を生成して車載器１０に送信し（ステップＳ２２）、センター装置３０における処理を終了する。非会員用のコンテンツ情報とは、例えば、電車の遅延情報、納税通知情報等の公共の広告情報等の一般向けの内容の情報である。
【００６５】
一方、受信した車載器ＩＤと一致する車載器ＩＤが記憶部３４に記憶されている会員情報データベースに登録されており、車載器１０のユーザが会員であると判断すると（ステップＳ６；ＹＥＳ）、センター装置３０の制御部３１は、通信部３５により、路側無線装置２０を介して会員用のデフォルトのコンテンツ情報を車載器１０に配信する（ステップＳ７）。会員用のデフォルトのコンテンツ情報は、例えば、コンテンツ情報の配信開始を示すＷｅｌｃｏｍｅ画面情報等である。
【００６６】
また、制御部３１は、車載器１０に対し定期的にポーリングを行って（ステップＳ８、Ｓ１１）、アップリンク情報記憶領域ＭＥに書き込まれたアップリンク情報の送信を要求する。
【００６７】
路側無線装置２０を介してコンテンツ情報が受信されると、車載器１０の制御部４は、受信されたコンテンツ情報に含まれる事業者コードと、記憶部１ｆに記憶されているアップリンク情報に含まれる事業者コードとを照合することにより、受信されたコンテンツ情報を配信した配信事業者が契約した事業者であるか否かを判断する（ステップＳ９）。受信されたコンテンツ情報を配信した配信事業者が契約した事業者ではないと判断すると（ステップＳ９；ＮＯ）、制御部４は、ステップＳ１８の処理に移行し、センター装置３０からの配信終了を通知するメッセージ情報の受信に応じて、全てのコンテンツ情報が揃ったか否か、受信したコンテンツ情報のデータは全て正常か否か等の検査を行い（ステップＳ１８）、受信したコンテンツ情報を記憶部１ｆに保存する（ステップＳ１９）。そして、制御部４は、記憶部１ｆにコンテンツ情報の受信履歴情報を記憶し（ステップＳ２０）、制御部４における処理を終了する。なお、契約していない事業者からのコンテンツ情報については、受信履歴情報の記憶は省略してもよい。  
【００６８】
一方、受信されたコンテンツ情報を配信した配信事業者が契約した事業者であると判断すると（ステップＳ９；ＹＥＳ）、制御部４は、当該事業者コードに対応するアップリンク情報を記憶部１ｆから読み出してアップリンク情報記憶領域ＭＥに書き込む（ステップＳ１０）。
【００６９】
ＤＳＲＣ部３は、制御部４によりアップリンク情報の書込が行われると、センター装置３０からのポーリングに応じて、アップリンク情報記憶領域ＭＥに記憶されているアップリンク情報を、路側無線装置２０を介してセンター装置３０に送信する（ステップＳ１２）。
【００７０】
センター装置３０において、通信部３５を介してアップリンク情報が受信されると、制御部３１は、受信されたアップリンク情報を一時的に記憶するとともに、通信部３５により路側無線装置２０を介して車載器１０にアップリンク情報開放要求を送信する（ステップＳ１３）。車載器１０の制御部４は、センター装置３０から送信されたアップリンク情報開放要求を路側無線装置２０を介して受信すると、ステップＳ１０においてアップリンク情報記憶領域ＭＥに書き込んだアップリンク情報をアップリンク情報記憶領域ＭＥから削除する（ステップＳ１４）。
【００７１】
センター装置３０の制御部３１は、受信されたアップリンク情報に基づいて、再生機変更チェック処理を行う（ステップＳ１５）。
図１１は、図１０のステップＳ１５においてセンター装置３０の制御部３１により実行される再生機変更チェック処理を示すフローチャートである。
【００７２】
再生機変更チェック処理においては、まず、制御部３１は、受信されたアップリンク情報から車載器ＩＤを取得する（ステップＳ１０１）。次いで、制御部３１は、車載器テーブル３４２を参照し、取得した車載器ＩＤに対応付けて記憶されているカーナビ部型番情報を取得して変数Ｘに代入する（ステップＳ１０２）。この変数Ｘに代入されるカーナビ部型番情報は、前回通信を行ったときに送信されたアップリンク情報に含まれていたカーナビ部型番情報である。なお、初回通信時には、車載器テーブル３４２に車載器ＩＤ及びカーナビ部型番情報は記憶されていない。
【００７３】
次いで、制御部３１は、受信されたアップリンク情報に含まれるカーナビ部型番情報を取得して変数Ｙに代入する（ステップＳ１０３）。この変数Ｙに代入されるカーナビ部型番情報は、即ち、アップリンク情報送信元の車載器１０における現在の（今回の）カーナビ部型番情報である。
【００７４】
次いで、制御部３１は、変数Ｘに値が代入されているか否かを判断し、変数Ｘに値が代入されていないと判断すると（ステップＳ１０４；ＮＯ）、ステップＳ１０１で取得した車載器ＩＤと変数Ｙに代入したカーナビ部型番情報を対応付けて車載器テーブル３４２に追加記憶させ（ステップＳ１０５）、図１０のステップＳ１６の処理に移行する。
【００７５】
一方、変数Ｘに値が代入されていると判断すると（ステップＳ１０４；ＹＥＳ）、制御部３１は、変数Ｘに代入されている値と変数Ｙに代入されている値が一致するか否かを判断する（ステップＳ１０６）。変数Ｘに代入されている値と変数Ｙに代入されている値が一致すると判断すると（ステップＳ１０６；ＹＥＳ）、制御部３１は、前回通信時のカーナビ部型番情報と現在のカーナビ部型番情報に変更がないと判断し、図１０のステップＳ１６の処理に移行する。
【００７６】
変数Ｘに代入されている値と変数Ｙに代入されている値が一致しないと判断すると（ステップＳ１０６；ＮＯ）、制御部３１は、再生機テーブル３４１を参照し、変数Ｘに代入されているカーナビ部型番情報に対応する再生機１ｈの種類を示す情報（再生機情報）を取得して、変数Ａに代入する（ステップＳ１０７）。また、制御部３１は、再生機テーブル３４１を参照し、変数Ｙに代入されているカーナビ部型番情報に対応する再生機１ｈの種類を示す再生機情報を取得して、変数Ｂに代入する（ステップＳ１０８）。
【００７７】
次いで、制御部３１は、変数Ａに代入されている値と変数Ｂに代入されている値が一致するか否かを判断する（ステップＳ１０９）。即ち、前回通信時における車載器１０の再生機１ｈの種類と現在の車載器１０の再生機１ｈの種類が同じであるか否かを判断する。変数Ａに代入されている値と変数Ｂに代入されている値が一致すると判断すると（ステップＳ１０９；ＹＥＳ）、制御部３１は、ステップＳ１１３の処理に移行し、車載器テーブル３４２におけるステップＳ１０１で取得した車載器ＩＤに対応するカーナビ部型番を変数Ｙに代入したカーナビ部型番情報に更新し（ステップＳ１１３）、図１０のステップＳ１６の処理に移行する。
【００７８】
変数Ａに代入されている値と変数Ｂに代入されている値が一致しないと判断すると（ステップＳ１０９；ＮＯ）、制御部３１は、受信したアップリンク情報から車載器１０のユーザの嗜好情報を取得する（ステップＳ１１０）。そして、取得した嗜好情報において、変数Ａに代入されている、前回通信時における再生機１ｈの種類に対応する項目が嗜好する項目として設定（選択）されているか否かを判断する（ステップＳ１１１）。前回通信時における再生機１ｈの種類に対応する項目に「１」が設定されていない、即ち、前回通信時における再生機１ｈの種類に対応する項目が嗜好する項目として設定されていないと判断すると（ステップＳ１１１；ＮＯ）、制御部３１は、ステップＳ１１３の処理に移行し、車載器テーブル３４２におけるステップＳ１０１で取得した車載器ＩＤに対応するカーナビ部型番情報を変数Ｙに代入したカーナビ部型番情報に更新し（ステップＳ１１３）、図１０のステップＳ１６の処理に移行する。
【００７９】
前回通信時における再生機１ｈの種類に対応する項目が嗜好する項目として設定されていると判断すると（ステップＳ１１１；ＹＥＳ）、制御部３１は、変数Ｂに代入されている現在の再生機１ｈの種類に対応する項目のデフォルト値を「１」に変更した、即ち、当該項目を嗜好する項目として追加した嗜好情報を生成し、図９に示すコンテンツ情報のデータフォーマットのＩＤ８０に格納して、通信部３５により路側無線装置２０を介して車載器１０に配信する（ステップＳ１１２）。そして、車載器テーブル３４２におけるステップＳ１０１で取得した車載器ＩＤに対応するカーナビ部型番情報を変数Ｙに代入したカーナビ部型番情報に更新し（ステップＳ１１３）、図１０のステップＳ１６の処理に移行する。
【００８０】
具体的に、ステップＳ１１１においては、受信したアップリンク情報に含まれる嗜好情報と同じバージョンの嗜好情報を記憶部３４から読み出し、変数Ａに代入されている再生機情報と表示用テキストが一致する項目を検索する。そして、受信したアップリンク情報に含まれる嗜好情報において、上記検索された項目の項目番号に対応する設定値が「１」であるか否かを判断し、「１」であれば前回通信時における再生機１ｈの種類に対応する項目が嗜好する項目として設定（選択）されていると判断する。また、ステップＳ１１２においては、記憶部３４から読み出した嗜好情報において、受信したアップリンク情報に含まれる嗜好情報の設定値「１」の項目のデフォルト値を「１」に、それ以外の項目のデフォルト値を「０」に設定するとともに、変数Ｂに代入されている再生機情報と表示用テキストが一致する項目のデフォルト値を「１」に変更することによりユーザ配信用の嗜好情報を作成し、この作成した嗜好情報を図９に示すコンテンツ情報のデータフォーマットのＩＤ８０に格納して車載器１０に配信する。
【００８１】
ステップＳ１１１とステップＳ１１２の処理によって、例えば、車載器１０の前回通信時における再生機１ｈの種類が「ＤＶＤ」であり、現在の再生機１ｈの種類が「ＢＤ」である場合、アップリンク情報に含まれる嗜好情報で「ＤＶＤ」の項目が選択されていれば「ＢＤ」の項目が自動的に嗜好する項目として設定されることとなる。即ち、ユーザが車載器１０に搭載されている再生機１ｈに関連するコンテンツ情報の視聴を希望している場合、車載器１０の再生機１ｈの種類が変更されると、変更後の再生機１ｈの種類に対応する項目が自動的に嗜好する項目に追加される。従って、ユーザは、嗜好項目設定画面Ｇ１上で変更後の再生機１ｈの種類に対応する項目を嗜好する項目として設定する手間を省くことが可能となる。
【００８２】
図１０のステップＳ１６においては、制御部３１は、受信されたアップリンク情報に基づいて配信するコンテンツ情報を編成し、通信部３５により路側無線装置２０を介して車載器１０に配信する（ステップＳ１６）。ステップＳ１６においては、例えば、受信したアップリンク情報の嗜好情報等を参照し、記憶部３４に記憶されているコンテンツ情報のうちユーザが嗜好する項目に分類されるコンテンツ情報等を配信するコンテンツとして選択し、該当するコンテンツ情報を記憶部３４から読み出して車載器１０に配信する。なお、図１１のステップＳ１１２において既にコンテンツ情報を配信している場合は、配信しなくてもよいし、別のコンテンツ情報を更に配信してもよい。
【００８３】
コンテンツ情報の配信が終了すると、センター装置３０の制御部３１は、配信終了を通知するメッセージ情報を生成し、通信部３５により路側無線装置２０を介して車載器１０に送信する（ステップＳ１７）。
【００８４】
車載器１０において、センター装置３０から配信されたコンテンツ情報及び配信終了通知を路側無線装置２０を介して受信すると、車載器１０の制御部４は、全てのコンテンツ情報が揃ったか否か、受信したコンテンツ情報のデータは全て正常か否か等の検査を行い（ステップＳ１８）、受信したコンテンツ情報を記憶部１ｆに保存する（ステップＳ１９）。また、記憶部１ｆに受信履歴情報を記憶する（ステップＳ２０）。具体的には、記憶部１ｆに記憶されている当該事業者コードに対応するアップリンク情報に受信したコンテンツ情報の受信情報コードを書き込む。
【００８５】
車載器１０が相互通信エリアＺ外に移動することにより（エリアアウト）一定時間以上路側無線装置２０との通信が途絶えると、情報配信の一連の処理は終了する。
【００８６】
図１０に示す処理によってセンター装置３０からコンテンツ情報が受信及び保存されると、車載器１０の制御部４は、コンテンツ再生が可能となり、入力部１ｄを介して入力されるユーザの指示に応じてコンテンツを再生する。
【００８７】
以上説明したように、第１の実施の形態における情報配信システム１００によれば、センター装置３０の制御部３１は、車載器１０からアップリンク情報を受信した際に、受信されたアップリンク情報に含まれる車載器１０のカーナビ部型番情報と車載器テーブル３４２に記憶されている当該車載器１０の前回通信時のカーナビ部型番情報とに基づいて、車載器１０に搭載されている再生機１ｈの種類が変更されたか否かを判断する。再生機１ｈの種類が変更された場合、制御部３１は、アップリンク情報に含まれる嗜好情報において、前回通信時の再生機１ｈの種類に対応する項目が嗜好する項目に設定されているか否かを判断し、嗜好する項目に設定されている場合、変更後の再生機１ｈの種類に対応する項目を嗜好する項目に追加した嗜好情報を生成し車載器に送信する。
【００８８】
従って、車載器１０に搭載されている再生機１ｈの種類に変更があった場合に、ユーザが手間をかけることなく変更後の再生機１ｈの種類に応じたコンテンツ情報を受信することが可能となる。例えば、変更後の再生機１ｈの種類に応じたハードウエア（例えば、レコーダ）やソフトウエアの情報等をユーザが入手することが可能となる。
【００８９】
なお、上記実施の形態においては、変更前の再生機１ｈの種類に応じた項目はそのまま嗜好する項目として残しておくこととしたが、嗜好する項目からはずすようにしてもよい。
【００９０】
〈第２の実施の形態〉
以下、本発明に係る第２の実施の形態について説明する。
第１の実施の形態では、車載器１０のカーナビ部１の再生機１ｈの種類に変更があったか否かをセンター装置３０においてチェックし、変更があった場合に、変更後の再生機１ｈの種類に対応する項目をユーザが嗜好する項目に追加して嗜好情報を更新し車載器１０に配信した。第２の実施の形態では、車載器１０のカーナビ部１に変更があった場合に、再生機１ｈの種類に変更があったか否かを車載器１０においてチェックし、変更があった場合に、変更後の再生機１ｈの種類に対応する項目をユーザが嗜好する項目に追加して嗜好情報を更新する。
【００９１】
第２の実施の形態において、車載器１０の記憶部１ｆは、第１の実施の形態においてセンター装置３０に記憶されていた図７に示す再生機テーブル３４１と同様の再生機テーブル１１１を有している。
【００９２】
また、記憶部１ｆは、図１２に示す類似嗜好項目テーブル１１２を記憶している。ここで、上述のように、嗜好情報の各項目及びその表示用テキストは、上述のように配信事業者が設定できるものである。従って、互いに同じ内容を示す項目同士であっても配信事業者等によって表示用テキストが異なることがある。例えば、カーナビ部型番情報と再生機テーブル１１１により特定される再生機１ｈの種類を示す情報（テキスト情報）が「ＢＤ」であるとする。配信事業者は、嗜好情報においてこの再生機１ｈの種類に対応する項目の表示用テキストとして「ＢＤ」を用いている場合もあるが、「Ｂｌｕ−ｒａｙ」「Ｂｌｕ−ｒａｙ  Ｄｉｓｃ」「ブルーレイディスク」等の他の表示用テキストを用いる場合もある。そこで、車載器１０においては、再生機テーブル１１１に含まれる各再生機情報に対応する項目の表示用テキスト（「嗜好項目」）と、これと同じ内容で表記の異なる項目を示す表示用テキスト（「類似嗜好項目」）とを図１２に示すような類似嗜好項目テーブル１１２に予め記憶して、同一内容であるが表記の異なる項目を判別できるようにしている。
【００９３】
その他の第２の実施の形態における各装置の構成や、コンテンツ情報、アップリンク情報のデータ構成は第１の実施の形態と略同様であるので説明を援用し、以下、第２の実施の形態の動作について説明する。
【００９４】
車載器１０の制御部４は、メニュー画面からの入力部１ｄの操作等によりカーナビ部型番情報等の保存が指示されると、記憶部１ｆに記憶されているアップリンク情報に含まれるカーナビ部型番情報や配信事業者の事業者コード等をＤＳＲＣ部３の記憶部３ｃに、又はメモリカードＩ／Ｆ１ｉを介して外部メモリデバイスＥＤに記憶させる機能を有している。
ユーザは、カーナビ部１の変更前に、入力部１ｄによりカーナビ部型番情報等の保存指示を入力し、変更前のカーナビ部の型番情報をＤＳＲＣ部３の記憶部３ｃに、又はメモリカードＩ／Ｆ１ｉを介して外部メモリデバイスＥＤに記憶させる。
【００９５】
カーナビ部１の変更後、ユーザによるメニュー画面からの入力部１ｄの操作等により再生機変更チェックの実行指示が入力されると、制御部４は、再生機変更チェック処理を実行する。なお、第１の実施の形態における処理と区別するため、第２の実施の形態における再生機変更チェック処理を再生機変更チェック処理Ｂとする。
【００９６】
図１３は、車載器１０の制御部４により実行される再生機変更チェック処理Ｂを示すフローチャートである。
再生機変更チェック処理Ｂにおいては、まず、制御部４は、記憶部３ｃから、又はメモリカードＩ／Ｆ１ｉを介して外部メモリデバイスＥＤから、変更前のカーナビ部型番情報を取得する（ステップＴ１）。次いで、制御部４は、記憶部１ｆに記憶されている再生機テーブル１１１を参照し、取得したカーナビ部型番情報に対応する再生機１ｈの種類を示す情報（再生機情報）を取得することにより、変更前のカーナビ部１に搭載されていた再生機情報を取得して、変数Ａに代入する（ステップＴ２）。
【００９７】
次いで、制御部４は、再生機テーブル１１１を参照して現在の（変更後の）カーナビ部１のカーナビ部型番情報に対応する再生機情報を取得して変数Ｂに代入し（ステップＴ３）、変数Ａの値と変数Ｂの値を比較することにより変更前後の再生機１ｈの種類が同一であるか否かを判断する。Ａ＝Ｂであり、変更前後の再生機１ｈの種類が同一であると判断すると（ステップＴ４；ＹＥＳ）、制御部４は、本処理を終了する。
【００９８】
一方、Ａ＝Ｂではなく、変更前後の再生機１ｈの種類が同一ではないと判断すると（ステップＴ４；ＮＯ）、制御部４は、変数ｍに契約した配信事業者数を代入するとともに（ステップＴ５）、変数ｎに１を代入する（ステップＴ６）。次いで、制御部４は、変数ｍの値と変数ｎの値を比較し、ｎ≦ｍである場合に（ステップＴ７；ＹＥＳ）、ｎ番目の配信事業者の嗜好情報更新処理を実行する（ステップＴ８）。
【００９９】
図１４は、図１３のステップＴ８において制御部４により実行されるｎ番目の配信事業者の嗜好情報更新処理を示すフローチャートである。
ｎ番目の配信事業者の嗜好情報更新処理において、制御部４は、まず、選択チェック処理を実行する（ステップＴ１１）。
【０１００】
図１５は、図１６のステップＴ１１において制御部４により実行される選択チェック処理を示すフローチャートである。
選択チェック処理において、制御部４は、まず、変数ｉに１を、変数ｊに１を、変数ｒｅｔにｆａｌｓｅを初期値として代入する（ステップＴ１０１）。
【０１０１】
次いで、制御部４は、記憶部１ｆに保存されているｎ番目の配信事業者のコンテンツ情報からＩＤ８０を含むコンテンツ情報を検索して読み出し（ステップＴ１０２）、変数ＮにＩＤ８０に格納されている嗜好情報の項目（嗜好項目）の数（嗜好項目数）を代入する（ステップＴ１０３）。ここで、ｎ番目の配信事業者のコンテンツ情報であるか否かは、ＩＤ０１の事業者コードにより判断する。また、ｎ番目の配信事業者のＩＤ８０を含むコンテンツ情報が複数保存されている場合、その中で最も新しいバージョンのコンテンツ情報が読み出される。ｎ番目の配信事業者のＩＤ８０を含むコンテンツ情報が存在しない、即ち、まだダウンロードされていない場合、嗜好項目数に０が代入される。
【０１０２】
次いで、制御部４は、類似嗜好項目テーブル１１２を参照し、変数Ａに格納されている変更前の再生機情報（変数Ａの値）及びこの再生機情報に対応付けられている類似嗜好項目（これらを以下嗜好項目候補という）の数の合計をカウントして、嗜好項目候補数として変数Ｍに代入する（ステップＴ１０４）。
【０１０３】
次いで、制御部４は、変数ｉの値と変数Ｎの値を比較し、ｉ≦Ｎである場合（ステップＴ１０５；ＹＥＳ）、読み出したコンテンツ情報のＩＤ８０に格納されているｉ番目の嗜好項目の表示用テキストを変数Ｘに代入する（ステップＴ１０６）。また、制御部４は、ｊ番目の嗜好項目候補の表示用テキストを変数Ｙに代入する（ステップＴ１０７）。
【０１０４】
次いで、制御部４は、変数Ｘと変数Ｙの値を比較し、Ｘ＝Ｙではない、即ち、ＩＤ８０におけるｉ番目の嗜好項目の表示用テキストとｊ番目の嗜好項目候補の表示用テキストとが一致しないと判断すると（ステップＴ１０８；ＮＯ）、変数ｊの値を１インクリメントし（ステップＴ１０９）、変数ｊの値と変数Ｍの値を比較する。ｊ＞Ｍではない、即ち、まだＩＤ８０のｉ番目の嗜好項目との比較が終了していない嗜好項目候補がある場合（ステップＴ１１０；ＮＯ）、ステップＴ１０７の処理に戻る。ｊ＞Ｍである場合、即ち、ＩＤ８０のｉ番目の嗜好項目と全ての嗜好項目候補との比較が終了した場合（ステップＴ１１０；ＹＥＳ）、制御部４は、変数ｉを１インクリメントし（ステップＴ１１１）、Ｔ１０５の処理に戻り、次の嗜好項目と嗜好項目候補との比較が順次行われる。
【０１０５】
一方、ステップＴ１０８において、Ｘ＝Ｙである、即ち、ＩＤ８０におけるｉ番目の嗜好項目の表示用テキストとｊ番目の嗜好項目候補の表示用テキストとが一致している判断すると（ステップＴ１０８；ＹＥＳ）、制御部４は、ＩＤ８０におけるｉ番目の嗜好項目がユーザの嗜好する項目として設定（選択）されているか否か、即ち、ｉ番目の嗜好項目のデフォルト値が「１」であるか否かを判断する。ＩＤ８０におけるｉ番目の嗜好項目がユーザの嗜好する項目として設定（選択）されていない、即ち、ｉ番目の嗜好項目のデフォルト値が「０」であると判断すると（ステップＴ１１２；ＮＯ）、制御部４は、Ｔ１０９の処理に移行する。ＩＤ８０におけるｉ番目の嗜好項目がユーザの嗜好する項目として設定（選択）されている、即ち、ｉ番目の嗜好項目のデフォルト値が「１」であると判断すると（ステップＴ１１２；ＹＥＳ）、制御部４は、変数ｒｅｔに「ｔｒｕｅ」を代入し（ステップＴ１１３）、図１４のＴ１２の処理に移行する。
【０１０６】
ステップＴ１０５において、ｉ＞Ｎである場合（ステップＴ１０５；ＮＯ）、制御部４は、全ての嗜好項目と嗜好項目候補との比較が終了したと判断し、図１４のステップＴ１２の処理に移行する。
【０１０７】
図１４のステップＴ１２において、制御部４は、変数ｒｅｔ＝ｔｒｕｅであるか否かを判断し、変数ｒｅｔ＝ｔｒｕｅではないと判断すると（ステップＴ１２；ＮＯ）、図１３のステップＴ９の処理に移行する。変数ｒｅｔ＝ｔｒｕｅであると判断すると（ステップＴ１２；ＹＥＳ）、制御部４は、嗜好項目追加処理を実行する（ステップＴ１３）。
【０１０８】
図１６は、図１４のステップＴ１３において制御部４により実行される嗜好項目追加処理を示すフローチャートである。
【０１０９】
嗜好項目追加処理においては、制御部４は、まず、変数ｉに１を、変数ｊに１を初期値として代入する（ステップＴ２０１）。
【０１１０】
次いで、制御部４は、記憶部１ｆに保存されているｎ番目の配信事業者のコンテンツ情報からＩＤ８０を含むコンテンツ情報を検索して読み出し（ステップＴ２０２）、変数ＮにＩＤ８０の嗜好情報に含まれる嗜好項目数を代入する（ステップＴ２０３）。
【０１１１】
次いで、制御部４は、類似嗜好項目テーブル１１２を参照し、変数Ｂに格納されている変更後の再生機情報（変数Ｂの値）及びこの再生機情報に対応付けられている類似嗜好項目（嗜好項目候補）の数の合計をカウントして、嗜好項目候補数として変数Ｍに代入する（ステップＴ２０４）。
【０１１２】
次いで、制御部４は、変数ｉの値と変数Ｎの値を比較し、ｉ≦Ｎである場合（ステップＴ２０５；ＹＥＳ）、読み出したコンテンツ情報のＩＤ８０に格納されているｉ番目の嗜好項目の表示用テキストを変数Ｘに代入する（ステップＴ２０６）。また、制御部４は、ｊ番目の嗜好項目候補の表示用テキストを変数Ｙに代入する（ステップＴ２０７）。
【０１１３】
次いで、制御部４は、変数Ｘと変数Ｙの値を比較し、Ｘ＝Ｙである、即ち、ＩＤ８０におけるｉ番目の嗜好項目の表示用テキストとｊ番目の嗜好項目候補の表示用テキストとが一致すると判断すると（ステップＴ２０８；ＹＥＳ）、ＩＤ８０に格納されているｉ番目の嗜好項目のデフォルト値を「１」に設定し（ステップＴ２０９）、ステップＴ２１０の処理に移行する。Ｘ＝Ｙではない、即ち、ＩＤ８０におけるｉ番目の嗜好項目の表示用テキストとｊ番目の嗜好項目候補の表示用テキストとが一致しないと判断すると（ステップＴ２０８；ＮＯ）、制御部４は、ステップＴ２１０の処理に移行する。
【０１１４】
ステップＴ２１０においては、制御部４は、変数ｊの値を１インクリメントし（ステップＴ２１０）、変数ｊの値と変数Ｍの値を比較する。ｊ＞Ｍではない、即ち、まだＩＤ８０のｉ番目の嗜好項目との比較が終了していない嗜好項目候補がある場合（ステップＴ２１１；ＮＯ）、制御部４は、ステップＴ２０７の処理に戻る。ｊ＞Ｍである場合、即ち、ＩＤ８０のｉ番目の嗜好項目と全ての嗜好項目候補との比較が終了した場合（ステップＴ２１１；ＹＥＳ）、制御部４は、変数ｉを１インクリメントし（ステップＴ２１２）、ステップＴ２０５の処理に戻り、次の嗜好項目と嗜好項目候補との比較が順次行われる。
【０１１５】
ステップＴ２０５において、ｉ＞Ｎであると判断した場合（ステップＴ２０５；ＮＯ）、制御部４は、図１３のステップＴ９の処理に移行する。
上述のｎ番目の配信事業者の嗜好情報更新処理により、ｉ番目の配信事業者のコンテンツ情報に含まれる嗜好情報において、変更前にカーナビ部１に搭載されていた再生機１ｈの種類に対応する項目がユーザの嗜好する項目として設定されている場合に、変更後の再生機１ｈの種類に対応する項目がユーザの嗜好する項目に自動的に追加される。なお、ステップＴ２０９においてデフォルト値が「１」に設定された項目がある場合には、図１３のステップＴ９に移行する前に、制御部４は、記憶部１ｆに記憶されているアップリンク情報における嗜好情報における対応する項目の設定値も併せて「１」に変更するようにしてもよい。これにより、ユーザの操作を介さずに、自動的に変更後の再生機１ｈの種類に対応する項目をユーザが嗜好する項目に設定することができる。或いは、制御部４は、変更後の再生機１ｈの種類に対応する項目が嗜好する項目に追加された嗜好情報に基づいて、表示部１ｅに嗜好項目設定画面Ｇ１を表示することによりユーザに嗜好情報の更新を促し、入力部１ｄによる「ＯＫ」ボタンＢ１押下に応じて、記憶部１ｆに記憶されているアップリンク情報における嗜好情報を上記変更後の再生機１ｈの種類が追加された嗜好情報に更新するようにしてもよい。
【０１１６】
図１３のステップＴ９においては、制御部４は、変数ｎを1インクリメントし（ステップＴ９）、ステップＴ７の処理に戻る。ステップＴ７において、ｎ＞ｍと判断すると（ステップＴ７；ＮＯ）、制御部４は、本処理を終了する。
【０１１７】
上述の再生機変更チェック処理Ｂの後、車載器１０が路側無線装置２０の相互通信エリアＺに進入すると、図１０に示すセンター装置３０と車載器１０との通信が開始され、変更後の再生機１ｈの種類が嗜好する項目として追加された嗜好情報を含むアップリンク情報がセンター装置３０に送信される。センター装置３０においては、更新されたアップリンク情報に基づいて車載器１０に配信するコンテンツ情報が決定され、車載器１０に配信される。即ち、変更後の再生機１ｈの種類に対応するカテゴリのコンテンツ情報があれば、車載器１０に配信される。
【０１１８】
以上説明したように、第２の実施の形態における情報配信システム１００によれば、車載器１０の制御部４は、カーナビ部１の変更前のカーナビ部型番情報を記憶部３ｃ又は外部メモリデバイスＥＤに記憶しておき、変更前のナビゲーション装置のカーナビ部型番情報と現在のカーナビ部１から取得したカーナビ部型番情報とに基づいて、再生機１ｈの種類が変更されたか否かを判断し、変更された場合に、嗜好情報における変更後の再生機１ｈの種類に対応する項目をユーザの嗜好する項目に追加する。
【０１１９】
従って、車載器１０に搭載されている再生機１ｈの種類に変更があった場合に、嗜好情報における変更後の再生機１ｈの種類に対応する項目をユーザの嗜好する項目に自動的に追加するので、ユーザが手間をかけることなく変更後の再生機１ｈの種類に応じたコンテンツ情報を受信することが可能となる。
【０１２０】
また、変更後の再生機１ｈの種類に対応する項目をユーザの嗜好する項目に予め設定した嗜好項目設定画面Ｇ１を表示し、ユーザによる「ＯＫ」ボタンＢ１の押下に応じてアップリンク情報に含まれる嗜好情報を更新することで、ユーザが嗜好情報に変更があったことを確認した上で、送信用の嗜好情報を更新することが可能となる。
【０１２１】
なお、上記第２の実施の形態においては、記憶部１ｆに記憶されているコンテンツ情報に含まれるＩＤ８０の嗜好情報を用いて、アップリンク情報の嗜好情報を更新する場合を例にとり説明したが、コンテンツ情報に含まれるＩＤ８０の嗜好情報の代わりにアップリンク情報の嗜好情報を用いて上記ｎ番目の配信事業者の嗜好情報更新処理を実行し、アップリンク情報の嗜好情報を直接更新してもよい。
【０１２２】
また、上記第２の実施の形態を応用し、再生機１ｈに接続されている外部スピーカＳＰが変更になった場合、例えば、サブウーファ等が外部スピーカＳＰとして新たに接続されたような場合に、スピーカの変更に応じて嗜好情報を自動的に更新するようにしてもよい。以下、スピーカの変更に応じて嗜好情報を更新する例について説明する。
【０１２３】
スピーカを変更する場合、ユーザはメニュー画面からの入力部１ｄによる操作等によりスピーカ設定の指示を行う。制御部４は、スピーカ設定の指示が入力されると、表示部１ｅにスピーカ設定画面等を表示して、変更後のスピーカ構成（チャンネル数等）の選択等、各種設定情報をユーザに入力させる。そして、変更後のスピーカ構成の情報を含む、スピーカ構成設定画面から入力された設定情報を記憶部１ｆに記憶する。このとき、変更前のスピーカ構成の情報は記憶部１ｆの別領域に退避しておく。
【０１２４】
上記スピーカ構成の設定が終了すると、制御部４は、図１７に示すスピーカ構成変更チェック処理を実行する。
【０１２５】
スピーカ構成変更チェック処理においては、制御部４は、まず、記憶部１ｆに記憶されている変更前のスピーカ構成の情報を読み出して変数Ａに代入する（ステップＴ３０１）。次いで、変更後のスピーカ構成の情報を読み出して変数Ｂに代入する（ステップＴ３０２）。
【０１２６】
次いで、制御部４は、変数Ａの値と変数Ｂを比較し、Ａ＝Ｂである、即ち、スピーカ構成に変更がないと判断すると（ステップＴ３０３；ＮＯ）、本処理を終了する。
【０１２７】
変数Ａの値と変数Ｂの値が異なる、即ち、スピーカ構成が変更されたと判断すると（ステップＴ３０３；ＹＥＳ）、制御部４は、変数Ｂの値（例えば、チャンネル数）に基づいて、サラウンド構成に変更されたか否かを判断する。サラウンド構成に変更されていないと判断すると（ステップＴ３０４；ＮＯ）、制御部４は、本処理を終了する。サラウンド構成に変更されたと判断すると（ステップＴ３０４；ＹＥＳ）、制御部４は変数ｍに契約した配信事業者数を代入するとともに（ステップＴ３０５）、変数ｎに１を代入する（ステップＴ３０６）。次いで、制御部４は、変数ｍの値と変数ｎの値を比較し、ｎ≦ｍである場合に（ステップＴ３０７；ＹＥＳ）、ｎ番目の配信事業者の嗜好情報更新処理を実行する（ステップＴ３０８）。
【０１２８】
ステップＴ３０８におけるｎ番目の配信事業者の嗜好情報更新処理や当該処理におけるサブルーチンは、図１４〜図１６で説明したものと同様である。ここで、これらの処理を実行するにあたり、例えば、変数Ａには、変更前のスピーカ構成の情報に基づいて、「変更前のスピーカ構成名（例えば、モノラル、ステレオ等）＋現在の再生機情報」がテキスト情報で代入される。例えば、変更前のスピーカ構成情報が２チャンネルであり、再生機１ｈの種類がＤＶＤであった場合、変数Ａには「ステレオＤＶＤ」が代入される。変数Ｂには、「サラウンド＋現在の再生機情報」がテキスト情報で代入される。例えば、変数Ｂには「サラウンドＤＶＤ」が代入される。これにより、嗜好情報における変更前のスピーカ構成に関連する項目が選択されている場合、変更後のスピーカ構成に関連する項目が自動選択される。例えば、変更前に「ステレオＤＶＤ」が嗜好情報として選択されていた場合には、変更後に「サラウンドＤＶＤ」が自動で選択される。
【０１２９】
ｎ番目の配信事業者の嗜好情報更新処理が終了すると、制御部４は、変数ｎを１インクリメントし（ステップＴ３０９）、ステップＴ３０７に戻る。ステップＴ３０７において、ｎ＞ｍであると判断すると（ステップＴ３０７；ＮＯ）、制御部４は、本処理を終了する。
【０１３０】
以上、本発明に係る第１及び第２の実施の形態について説明してきたが、上記実施形態は本発明の好適な一例であり、これに限定されない。
例えば、第１の実施の形態において、図１２に示す類似嗜好項目テーブル１１２を記憶部３４が有する構成とし、類似嗜好項目を考慮して、前回の再生機１ｈに対応する項目が嗜好する項目として選択されているか否かの判断や、現在の再生機１ｈに対応する項目の特定等を行うようにしてもよい。これにより、同一配信事業者において、同一内容を示す異なる項目が存在していたとしても、もれなく現在の再生機１ｈに対応する項目を嗜好する項目として追加することが可能となる。
【０１３１】
その他、情報配信システム１００を構成する各装置の細部構成及び細部動作に関しても、発明の趣旨を逸脱することのない範囲で適宜変更可能である。
【図面の簡単な説明】
【０１３２】
【図１】本実施形態における情報配信システムを示す図である。
【図２】図１の路側無線装置の相互通信エリアを説明する図である。
【図３】図１の車載器の機能的構成を示すブロック図である。
【図４】図１のセンター装置から配信される嗜好情報のデータ構成例を示す図である。
【図５】図３の表示部に表示される嗜好項目設定画面の一例を示す図である。
【図６】図１のセンター装置の機能的構成を示すブロック図である。
【図７】図６の再生機テーブルのデータ格納例を示す図である。
【図８】図６の車載器テーブルのデータ格納例を示す図である。
【図９】図１のセンター装置から配信されるコンテンツ情報のデータフォーマットの一例を示す図である。
【図１０】情報配信システムにおいてコンテンツ情報を配信する際における各装置間の処理の流れを説明する図である。
【図１１】図６のセンター装置の制御部により実行される再生機変更チェック処理を示すフローチャートである。
【図１２】図３のカーナビ部の記憶部に記憶されている類似嗜好項目テーブルのデータ格納例を示す図である。
【図１３】図３の車載器の制御部により実行される再生機変更チェック処理Ｂを示すフローチャートである。
【図１４】図１３のステップＴ８において実行されるｎ番目の配信事業者の嗜好情報更新処理を示すフローチャートである。
【図１５】図１４のステップＴ１１において実行される選択チェック処理を示すフローチャートである。
【図１６】図１４のステップＴ１３において実行される嗜好項目追加処理を示すフローチャートである。
【図１７】図３の車載器の制御部により実行されるスピーカ構成変更チェック処理を示すフローチャートである。
【符号の説明】
【０１３３】
１００  情報配信システム
１０  車載器
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
１ｈ  再生機
１ｉ  メモリカードＩ／Ｆ
１１１  再生機テーブル
１１２  類似嗜好項目テーブル
ＳＰ  外部スピーカ
ＥＤ  外部メモリデバイス
２  通信モジュール
３  ＤＳＲＣ部
３ａ  ＤＳＲＣ制御部
３ｂ  通信部
３ｃ  記憶部
ＭＥ  アップリンク情報記憶領域
３ｅ  ＥＴＣ処理部
３ｆ  ＩＣカードＩ／Ｆ
４  制御部
２０  路側無線装置
３０  センター装置
３１  制御部
３２  入力部
３３  表示部
３４  記憶部
３４１  再生機テーブル
３４２  車載器テーブル
３５  通信部
【図１】
0005286951.tif 000002
【図２】
0005286951.tif 000003
【図３】
0005286951.tif 000004
【図４】
0005286951.tif 000005
【図５】
0005286951.tif 000006
【図６】
0005286951.tif 000007
【図７】
0005286951.tif 000008
【図８】
0005286951.tif 000009
【図９】
0005286951.tif 000010
【図１０】
0005286951.tif 000011
【図１１】
0005286951.tif 000012
【図１２】
0005286951.tif 000013
【図１３】
0005286951.tif 000014
【図１４】
0005286951.tif 000015
【図１５】
0005286951.tif 000016
【図１６】
0005286951.tif 000017
【図１７】
0005286951.tif 000018